(57)【要約】      （修正有）【課題】現在位置に関連するコンテンツを素早く的確に提供可能な情報提供システム、および、現在位置に関連するコンテンツを素早く的確に取得可能な通信端末を提供すること。【解決手段】インターネット接続機能を有する携帯端末１０３は、位置情報サーバ１０１ａ，１０１ｂから送出される特定の位置情報を取得し、ユーザがコンテンツの取得を希望する際に、インターネット網１５７を介してコンテンツサーバ１０５に当該特定の位置情報を含むコンテンツ取得要求データを送信し、コンテンツサーバ１０５は、データベース１０７を検索して特定の位置情報と関連するコンテンツを携帯端末１０３に送信する。そして、携帯端末１０３は、当該コンテンツを受信して出力する。【選択図】    図１
2004289256.tif 000002
【特許請求の範囲】
【請求項１】
配置された位置に関する所定の位置情報を送出する位置情報送出手段と、
位置情報に関連するコンテンツを位置情報毎に記憶したコンテンツ記憶手段と、
前記位置情報送出手段から送出された前記所定の位置情報を取得して、当該所定の位置情報に関連するコンテンツの取得要求を行うコンテンツ取得要求端末と、
前記コンテンツ取得要求端末から前記所定の位置情報に関連するコンテンツの取得要求を受け取ると、前記所定の位置情報に関連するコンテンツを前記コンテンツ記憶手段から検索して取得し、前記コンテンツ取得要求端末に送信するコンテンツ取得要求処理手段と、
を備えたことを特徴とする情報提供システム。
【請求項２】
前記位置情報送出手段は、近距離無線通信によって前記所定の位置情報を送出し、
前記コンテンツ取得要求端末は、近距離無線通信によって前記所定の位置情報を受信することを特徴とする請求項１記載の情報提供システム。
【請求項３】
前記コンテンツ取得要求端末は、
前記位置情報送出手段から送出された前記所定の位置情報を取得すると、当該所定の位置情報に関連するコンテンツの取得要求を行うか否かユーザに判断を求める出力を行い、
前記ユーザによる指示に従って前記コンテンツの取得要求を行うことを特徴とする請求項１または２記載の情報提供システム。
【請求項４】
前記コンテンツ取得要求端末は、
前記コンテンツ取得要求処理手段から送信されたコンテンツ、当該コンテンツの取得日時情報および前記所定の位置情報を組に記憶する情報記憶手段と、
前記コンテンツの取得要求を行う前に、前記位置情報送出手段から送出された前記所定の位置情報に関連するコンテンツが前記情報記憶手段に記憶されているか検索する履歴検索手段と、を有し、
前記履歴検索手段による検索結果に基づいて、前記コンテンツが前記情報記憶手段に記憶されていれば前記情報記憶手段から前記コンテンツを読み出し、前記コンテンツが前記情報記憶手段に記憶されていなければ前記所定の位置情報に関連するコンテンツの取得要求を行うことを特徴とする請求項１、２または３記載の情報提供システム。
【請求項５】
前記コンテンツ取得要求端末は、
前記履歴検索手段による検索の結果、前記コンテンツが前記情報記憶手段に記憶されていても、当該コンテンツの取得日時が所定期間前であれば、前記所定の位置情報に関連するコンテンツの取得要求を行うことを特徴とする請求項４記載の情報提供システム。
【請求項６】
配置された位置に関する所定の位置情報を送出する位置情報送出手段から送出された前記所定の位置情報を取得する位置情報取得手段と、
位置情報に関連するコンテンツを位置情報毎に記憶したコンテンツ記憶手段から所望のコンテンツを取得し送信するコンテンツ取得要求処理手段に、前記位置情報取得手段が取得した前記所定の位置情報に関連するコンテンツの取得要求を行うコンテンツ取得要求手段と、
前記コンテンツ取得要求処理手段から送信された前記所定の位置情報に関連するコンテンツを受信するコンテンツ受信手段と、
を備えたことを特徴とする通信端末。
【請求項７】
前記位置情報送出手段は、近距離無線通信によって前記所定の位置情報を送出し、
前記位置情報取得手段は、近距離無線通信によって前記所定の位置情報を受信することを特徴とする請求項６記載の通信端末。
【請求項８】
前記位置情報送出手段から送出された前記所定の位置情報を取得すると、当該所定の位置情報に関連するコンテンツの取得要求を行うか否かユーザに判断を求める制御手段を有し、
前記コンテンツ取得要求手段は、前記ユーザによる指示に従って前記コンテンツの取得要求を行うことを特徴とする請求項６または７記載の通信端末。
【請求項９】
前記コンテンツ取得要求処理手段から送信されたコンテンツ、当該コンテンツの取得日時情報および前記所定の位置情報を組に記憶する情報記憶手段と、
前記コンテンツの取得要求を行う前に、前記位置情報送出手段から送出された前記所定の位置情報に関連するコンテンツが前記情報記憶手段に記憶されているか検索する履歴検索手段と、を有し、
前記コンテンツ取得要求手段は、前記履歴検索手段による検索結果に基づいて、前記コンテンツが前記情報記憶手段に記憶されていれば前記情報記憶手段から前記コンテンツを読み出し、前記コンテンツが前記情報記憶手段に記憶されていなければ前記所定の位置情報に関連するコンテンツの取得要求を行うことを特徴とする請求項６、７または８記載の通信端末。
【請求項１０】
前記コンテンツ取得要求手段は、前記履歴検索手段による検索の結果、前記コンテンツが前記情報記憶手段に記憶されていても、当該コンテンツの取得日時が所定期間前であれば、前記所定の位置情報に関連するコンテンツの取得要求を行うことを特徴とする請求項９記載の通信端末。
【発明の詳細な説明】
【０００１】
【発明の属する技術分野】
本発明は、位置情報に基づく情報提供を行う情報提供システムおよび通信端末に関する。
【０００２】
【従来の技術】
近年における携帯電話の普及に伴い、携帯電話端末には、単なる通話機能だけでなくインターネット接続機能やＩｒＤＡ、Ｂｌｕｅｔｏｏｔｈ（商標）といった近距離無線通信機能が搭載されるようになってきた。そして、携帯電話端末や携帯情報端末、ノート型パーソナルコンピュータのユーザにとっては、インターネット接続による情報の検索や取得は、ごく一般的な方法になりつつある。
【０００３】
位置情報の検索や取得に関しては、ブラウザ機能を有するＰＨＳ端末を用いた位置特定方法や、ＧＰＳアンテナ内蔵の携帯電話を用いた位置特定方法が知られている。ＰＨＳ端末を用いた位置特定方法では誤差平均が約４０〜７０ｍ、ＧＰＳによる位置特定方法では誤差平均が約数ｍ〜１０ｍ程度で位置を特定可能である。
【０００４】
例えば、特開平９−３１９３００号公報（特許文献１）には、ＧＰＳ測量機能を用いて現在位置の情報を取得し、当該情報を用いて現在位置に関連する情報を取得する技術が開示されている。また、特開２００２−２１５７４２号公報（特許文献２）には、汎用の位置情報取得サービスを利用した交通情報提供システムが開示されている。さらに、特開２００２−３５１９０５号公報（特許文献３）には、現在位置に関連する情報をプッシュ配信する技術が開示されている。
【０００５】
【特許文献１】
特開平９−３１９３００号公報
【特許文献２】
特開２００２−２１５７４２号公報
【特許文献３】
特開２００２−３５１９０５号公報
【０００６】
【発明が解決しようとする課題】
しかしながら、上記説明したＰＨＳ端末を用いた位置特定方法では、利用可能な端末がＰＨＳ端末に限定され、かつ、当該ＰＨＳ端末にブラウザ機能が搭載されていなければならないという問題点があった。また、ＧＰＳによる位置特定方法では、利用する端末がＧＰＳアンテナを内蔵し、かつ、ＧＰＳ衛星からの電波を受信できない屋内等では位置特定を行うことができないという問題点があった。
【０００７】
また、特許文献１（特開平９−３１９３００号公報）に記載された技術はＧＰＳ測量機能を利用するため、屋外での使用が前提となり、駅構内や施設内等では現在位置および現在位置に関連する情報を取得できないという問題点があった。
【０００８】
また、特許文献２（特開２００２−２１５７４２号公報）に記載された交通情報提供システムは、時刻表や駅の情報といった交通機関に関する情報の提供を行っているため、現在位置に基づく情報の提供を行っていない。
【０００９】
さらに、特許文献３（特開２００２−３５１９０５号公報）に記載された技術は、現在位置に関連する情報をメール等によりプッシュ配信するため、無線基地局が変わるたびにユーザの意思とは無関係に前記プッシュ配信を行ったり、その結果、端末の記憶容量がオーバーする恐れがあった。
【００１０】
本発明は、上記従来の問題点に鑑みてなされたものであって、現在位置に関連するコンテンツを素早く的確に提供可能な情報提供システム、および、現在位置に関連するコンテンツを素早く的確に取得可能な通信端末を提供することを目的としている。
【００１１】
【課題を解決するための手段】
上記目的を達成するために、本発明に係る情報提供システムは、配置された位置に関する所定の位置情報を送出する位置情報送出手段と、位置情報に関連するコンテンツを位置情報毎に記憶したコンテンツ記憶手段と、前記位置情報送出手段から送出された前記所定の位置情報を取得して、当該所定の位置情報に関連するコンテンツの取得要求を行うコンテンツ取得要求端末と、前記コンテンツ取得要求端末から前記所定の位置情報に関連するコンテンツの取得要求を受け取ると、前記所定の位置情報に関連するコンテンツを前記コンテンツ記憶手段から検索して取得し、前記コンテンツ取得要求端末に送信するコンテンツ取得要求処理手段と、を備えている。
【００１２】
また、本発明に係る情報提供システムは、前記位置情報送出手段は、近距離無線通信によって前記所定の位置情報を送出し、前記コンテンツ取得要求端末は、近距離無線通信によって前記所定の位置情報を受信する。
【００１３】
したがって、位置情報送出手段から送出された所定の位置情報を取得でき、コンテンツ要求処理手段にコンテンツの取得要求を行え、コンテンツ要求処理手段から送信されたコンテンツを受信する環境にコンテンツ取得要求端末があれば、現在位置に関連するコンテンツを素早く的確に提供することができる。
【００１４】
また、本発明に係る情報提供システムは、前記コンテンツ取得要求端末は、前記位置情報送出手段から送出された前記所定の位置情報を取得すると、当該所定の位置情報に関連するコンテンツの取得要求を行うか否かユーザに判断を求める出力を行い、前記ユーザによる指示に従って前記コンテンツの取得要求を行う。したがって、不要なコンテンツ取得要求を抑止することができる。
【００１５】
また、本発明に係る情報提供システムは、前記コンテンツ取得要求端末は、前記コンテンツ取得要求処理手段から送信されたコンテンツ、当該コンテンツの取得日時情報および前記所定の位置情報を組に記憶する情報記憶手段と、前記コンテンツの取得要求を行う前に、前記位置情報送出手段から送出された前記所定の位置情報に関連するコンテンツが前記情報記憶手段に記憶されているか検索する履歴検索手段と、を有し、前記履歴検索手段による検索結果に基づいて、前記コンテンツが前記情報記憶手段に記憶されていれば前記情報記憶手段から前記コンテンツを読み出し、前記コンテンツが前記情報記憶手段に記憶されていなければ前記所定の位置情報に関連するコンテンツの取得要求を行う。したがって、同一のコンテンツを重複して取得することを抑止        できるため、情報記憶手段の記憶容量を節約できる。
【００１６】
また、本発明に係る情報提供システムは、前記コンテンツ取得要求端末は、前記履歴検索手段による検索の結果、前記コンテンツが前記情報記憶手段に記憶されていても、当該コンテンツの取得日時が所定期間前であれば、前記所定の位置情報に関連するコンテンツの取得要求を行う。したがって、所定期間前にコンテンツが更新された場合であっても最新のコンテンツを提供することができる。
【００１７】
また、本発明に係る通信端末は、配置された位置に関する所定の位置情報を送出する位置情報送出手段から送出された前記所定の位置情報を取得する位置情報取得手段と、位置情報に関連するコンテンツを位置情報毎に記憶したコンテンツ記憶手段から所望のコンテンツを取得し送信するコンテンツ取得要求処理手段に、前記位置情報取得手段が取得した前記所定の位置情報に関連するコンテンツの取得要求を行うコンテンツ取得要求手段と、前記コンテンツ取得要求処理手段から送信された前記所定の位置情報に関連するコンテンツを受信するコンテンツ受信手段と、を備えている。
【００１８】
また、本発明に係る通信端末は、前記位置情報送出手段は、近距離無線通信によって前記所定の位置情報を送出し、前記位置情報取得手段は、近距離無線通信によって前記所定の位置情報を受信する。
【００１９】
したがって、位置情報送出手段から送出された所定の位置情報を取得でき、コンテンツ要求処理手段にコンテンツの取得要求を行え、コンテンツ要求処理手段から送信されたコンテンツを受信する環境にあれば、現在位置に関連するコンテンツを素早く的確に取得することができる。
【００２０】
また、本発明に係る通信端末は、前記位置情報送出手段から送出された前記所定の位置情報を取得すると、当該所定の位置情報に関連するコンテンツの取得要求を行うか否かユーザに判断を求める制御手段を有し、前記コンテンツ取得要求手段は、前記ユーザによる指示に従って前記コンテンツの取得要求を行う。したがって、不要なコンテンツ取得要求を抑止することができる。
【００２１】
また、本発明に係る通信端末は、前記コンテンツ取得要求処理手段から送信されたコンテンツ、当該コンテンツの取得日時情報および前記所定の位置情報を組に記憶する情報記憶手段と、前記コンテンツの取得要求を行う前に、前記位置情報送出手段から送出された前記所定の位置情報に関連するコンテンツが前記情報記憶手段に記憶されているか検索する履歴検索手段と、を有し、前記コンテンツ取得要求手段は、前記履歴検索手段による検索結果に基づいて、前記コンテンツが前記情報記憶手段に記憶されていれば前記情報記憶手段から前記コンテンツを読み出し、前記コンテンツが前記情報記憶手段に記憶されていなければ前記所定の位置情報に関連するコンテンツの取得要求を行う。したがって、同一のコンテンツを重複して取得することを抑止できるため、情報記憶手段の記憶容量を節約できる。
【００２２】
さらに、本発明に係る通信端末は、前記コンテンツ取得要求手段は、前記履歴検索手段による検索の結果、前記コンテンツが前記情報記憶手段に記憶されていても、当該コンテンツの取得日時が所定期間前であれば、前記所定の位置情報に関連するコンテンツの取得要求を行う。したがって、所定期間前にコンテンツが更新された場合であっても最新のコンテンツを提供することができる。
【００２３】
【発明の実施の形態】
以下、本発明に係る情報提供システムおよび通信端末の実施の形態について、図面を参照して詳細に説明する。
【００２４】
図１は、本発明に係る一実施形態の情報提供システムを示す構成図である。本実施形態の情報提供システムは、同図に示すように、特許請求の範囲の位置情報送出手段に該当する位置情報サーバ１０１ａ，１０１ｂと、コンテンツ取得要求端末または通信端末に該当する携帯端末１０３と、コンテンツ取得要求処理手段に該当するコンテンツサーバ１０５と、コンテンツ記憶手段に該当するデータベース１０７とを主に備えて構成されている。
【００２５】
以下、本実施形態の情報提供システムが有する各構成要素について説明する。まず、位置情報サーバ１０１ａ，１０１ｂは、それぞれ特定の位置情報をＩｒＤＡやＢｌｕｅｔｏｏｔｈ（商標）、無線ＬＡＮ等の近距離無線通信によって携帯端末１０３に送出するものであり、例えばバスの停留所や駅に設置される。なお、位置情報サーバ１０１ａ，１０１ｂは特定の位置情報を常時または一定の間隔で送出し、特定の位置情報には位置ＩＤの他、自サーバの識別ＩＤやサービス名等のデータが含まれる。
【００２６】
また、携帯端末１０３は、携帯電話やＰＨＳ、ＰＤＡ、ノート型パーソナルコンピュータ等の端末であり、位置情報サーバ１０１ａ，１０１ｂから近距離無線通信によって送られた特定の位置情報を受信したり、基地局１５１、回線網１５３、中継局１５５およびインターネット網１５７を介してコンテンツサーバ１０５とデータの送受信を行うものである。ユーザが現在位置に関する情報の検索を行う際、所定の操作が行われると、携帯端末１０３は、所定の条件を満たすと位置情報サーバ１０１ａ，１０１ｂから送出された特定の位置情報を含むコンテンツ取得要求データをコンテンツサーバ１０５に送る。なお、携帯端末１０３の内部構成や動作の詳細については後述する。
【００２７】
また、コンテンツサーバ１０５は、携帯端末１０３から送られたコンテンツ取得要求データに応じて、当該データに含まれる特定の位置情報に関連したコンテンツをデータベース１０７から検索して取得し、携帯端末１０３に送信するものである。また、データベース１０７は、位置情報毎に各位置情報に関連したコンテンツを記憶したものである。
【００２８】
以下、本実施の形態の情報提供システムの動作（情報取得方法）について簡単に説明する。位置情報サーバ１０１ａ，１０１ｂは、常時または一定の間隔でそれぞれ特定の位置情報を近距離無線通信によって携帯端末１０３に送出する。携帯端末１０３は、ユーザによって現在位置に関する情報の検索を行うための所定の操作が行われると、位置情報サーバ１０１ａ，１０１ｂから受け取った特定の位置情報を含むコンテンツ取得要求データをコンテンツサーバ１０５に送る。
【００２９】
コンテンツサーバ１０５は、携帯端末１０３からのコンテンツ取得要求データに応じて、当該データに含まれる特定の位置情報に関連したコンテンツをデータベース１０７から検索して取得し、携帯端末１０３に送信する。携帯端末１０３は、当該コンテンツを受信するとこれを表示する。
【００３０】
次に、本実施形態の携帯端末１０３について、図２を参照して詳細に説明する。図２は、携帯端末１０３の内部構成を示すブロック図である。同図に示すように、本実施形態の携帯端末１０３は、入力部２０１と、出力部２０３と、特許請求の範囲のコンテンツ取得要求手段および制御手段に該当する検索制御部２０５と、履歴検索手段に該当する履歴検索部２０７と、情報記憶手段に該当する情報記憶部２０９と、位置情報取得手段に該当する位置情報取得部２１１と、コンテンツ受信手段に該当するインターネット接続部２１３とを備えて構成されている。なお、携帯端末１０３は、位置情報取得部２１１によって近距離無線通信を行うことができ、インターネット接続部２１３によってコンテンツサーバ１０５と通信を行うことができる。
【００３１】
以下、本実施形態の携帯端末１０３が有する各構成要素について説明する。
まず、入力部２０１は、ユーザによる操作や入力を受け付けるものであり、キーパッドやペン、マウス等である。また、出力部２０３は、ディスプレイやスピーカである。位置情報取得部２１１は、近距離無線通信によって位置情報サーバ１０１ａ，１０１ｂから送出された特定の位置情報を受信するものである。
【００３２】
また、情報記憶部２０９は、過去に位置情報サーバ１０１ａ，１０１ｂから送出された位置情報、過去にコンテンツサーバ１０５から取得したコンテンツ、および当該コンテンツを取得した日時を表すコンテンツ取得日時情報の組を記憶するものである。また、履歴検索部２０７は、位置情報サーバ１０１ａ，１０１ｂから送出された特定の位置情報に対応するコンテンツが情報記憶部２０９に記憶されているかを検索するものである。
【００３３】
また、検索制御部２０５は、コンテンツサーバ１０５に対する情報検索のための一連の動作を制御するものである。例えば、位置情報サーバ１０１ａ，１０１ｂから特定の位置情報を受信した際に、当該特定の位置情報に関連するコンテンツを取得するか否かの判断をユーザに求める出力を行うよう出力部２０３を制御する。また、履歴検索部２０７が行った検索結果に基づいて、該当するコンテンツが記憶されていれば情報記憶部２０９から当該コンテンツを読み出したり、該当するコンテンツが記憶されていなければコンテンツ取得要求データを生成してコンテンツサーバ１０５に送信する。但し、該当するコンテンツがあってもコンテンツ取得日時が所定期間前であればコンテンツ取得要求データを生成してコンテンツサーバ１０５に送信する。
【００３４】
また、インターネット接続部２１３は、移動体通信方式プロトコル、インターネットプロトコルおよびｈｔｔｐプロトコルを利用してインターネット網１５７に接続して、コンテンツサーバ１０５と通信を行うためのものである。
【００３５】
以下、本実施形態の携帯端末１０３が行う動作について、図３を参照して詳細に説明する。図３は、本実施形態の携帯端末１０３が行う動作を示すフローチャートである。
【００３６】
まず、ステップＳ３０１では、位置情報取得部２１１が位置情報サーバ１０１ａ，１０１ｂから送出された特定の位置情報を受信する。次に、ステップＳ３０２では、検索制御部２０５が、当該特定の位置情報に関連したコンテンツの取得を行うか否かの判断をユーザに求める表示または音声を出力するよう出力部２０３を制御する。次に、ステップＳ３０３では、ユーザが行った入力部２０１の操作に基づいて、コンテンツの取得を行うか否かを検索制御部２０５が判断し、取得を行うのであればステップＳ３０４に進み、取得を行わないのであれば一連の処理を終了する。
【００３７】
ステップＳ３０４では、ステップＳ３０１で受信した特定の位置情報に関連するコンテンツが既に情報記憶部２０９に記憶されているかを履歴検索部２０７が判断し、既に記録済みであればステップＳ３０５に進み、記録がなければステップＳ３１１に進む。ステップＳ３０５では、検索制御部２０５が情報記憶部２０９からコンテンツを読み出す。次に、ステップＳ３０６で、検索制御部２０５は、当該コンテンツの取得日時（コンテンツ取得日時情報）を参照して取得日時から所定期間が経過していればステップＳ３１１に進み、所定期間が経過していなければステップＳ３０７進んで当該コンテンツを表示または音声によって出力部２０３から出力して一連の処理を終了する。
【００３８】
ステップＳ３１１では、検索制御部２０５がコンテンツ取得要求データを生成し、インターネット接続部２１３によってコンテンツサーバ１０５との接続が確立すると、ステップＳ３０１で受信した特定の位置情報を含むコンテンツ取得要求データをコンテンツサーバ１０５に送信する。そして、ステップＳ３１２でコンテンツサーバ１０５からのコンテンツを受信すると、ステップＳ３１３で、検索制御部２０５が当該コンテンツを表示または音声により出力部２０３から出力して一連の処理を終了する。
【００３９】
以上説明したように、本実施形態の情報提供システムおよび通信端末では、携帯端末１０３が近距離無線通信によって位置情報サーバ１０１ａ，１０１ｂから特定の位置情報を受信した後、インターネットを介して当該特定の位置情報を含むコンテンツ取得要求データをコンテンツサーバ１０５に送信すれば、コンテンツサーバ１０５が当該特定の位置情報に関連するコンテンツを検索して携帯端末１０３に送信する。したがって、位置情報サーバ１０１ａ，１０１ｂから特定の位置情報を受信できインターネット接続することのできる環境に携帯端末１０３があれば、当該携帯端末１０３のユーザは現在位置に関連するコンテンツを素早く参照することができる。
【００４０】
なお、携帯端末１０３が近距離無線通信によって位置情報サーバ１０１ａ，１０１ｂから特定の位置情報を受信するため、屋外に限らず屋内であっても受信可能である。また、コンテンツ取得要求データおよびコンテンツの送受信はインターネットを介して行われるため、携帯端末１０３は特定の通信方式を採用した端末に限定されない。
【００４１】
また、携帯端末１０３は、位置情報サーバ１０１ａ，１０１ｂから特定の位置情報を受信した際、当該特定の位置情報に関連するコンテンツを取得するか否かの判断をユーザに求めるよう出力部２０３を制御する。したがって、不要なインターネット接続を抑止することができるため、通信料を節約できる。
【００４２】
さらに、携帯端末１０３は、特定の位置情報に関連するコンテンツを既に取得済みであるか否かを判断し、当該コンテンツを記憶していないか、記憶されていても取得日時が所定期間前であれば、コンテンツ取得要求データをコンテンツサーバ１０５に送信する。したがって、同一のコンテンツをコンテンツサーバ１０５から重複して取得することがないため、通信料および情報記憶部２０９の記憶容量を節約でき、かつ、所定期間前にコンテンツが更新された場合であっても最新のコンテンツを参照することができる。
【００４３】
【発明の効果】
以上説明したように、本発明に係る情報提供システムによれば、現在位置に関連するコンテンツを素早く的確に提供することができる。また、本発明に係る通信端末によれば、現在位置に関連するコンテンツを素早く的確に取得することができる。
【図面の簡単な説明】
【図１】本発明に係る一実施形態の情報提供システムを示す構成図
【図２】一実施形態の携帯端末の内部構成を示すブロック図
【図３】一実施形態の携帯端末が行う動作を示すフローチャート
【符号の説明】
１０１ａ，１０１ｂ  位置情報サーバ
１０３  携帯端末
１０５  コンテンツサーバ
１０７  データベース
２０１  入力部
２０３  出力部
２０５  検索制御部
２０７  履歴検索部
２０９  情報記憶部
２１１  位置情報取得部
２１３  インターネット接続部
【図１】
2004289256.tif 000003
【図２】
2004289256.tif 000004
【図３】
2004289256.tif 000005